(57)【要約】      （修正有）【課題】操縦安定性及び排水性能を良好に維持しながら騒音性能を改善することを可能にした空気入りタイヤを提供する。【解決手段】トレッド部１と一対のサイドウォール部と一対のビード部とを備えた空気入りタイヤにおいて、トレッド部１のセンター領域Ｃｅにタイヤ周方向に延在する少なくとも１本の周方向主溝１１を有し、各周方向主溝１１はタイヤ幅方向内側に向かって分岐して先端部が閉止された複数本の第一分岐溝１１Ａとタイヤ幅方向外側に向かって分岐して先端部が閉止された複数本の第二分岐溝１１Ｂとを有し、各周方向主溝１１における第一分岐溝１１Ａの本数が第二分岐溝１１Ｂの本数よりも少なく、第一分岐溝１１Ａ及び第二分岐溝１１Ｂの溝幅が閉止された先端部に向かって減少している。【選択図】図２
2020196347.tif 000002
【特許請求の範囲】
【請求項１】
タイヤ周方向に延在して環状をなすトレッド部と、該トレッド部の両側に配置された一対のサイドウォール部と、これらサイドウォール部のタイヤ径方向内側に配置された一対のビード部とを備えた空気入りタイヤにおいて、
前記トレッド部のセンター領域にタイヤ周方向に延在する少なくとも１本の周方向主溝を有し、各周方向主溝はタイヤ幅方向内側に向かって分岐して先端部が閉止された複数本の第一分岐溝とタイヤ幅方向外側に向かって分岐して先端部が閉止された複数本の第二分岐溝とを有し、各周方向主溝における前記第一分岐溝の本数が前記第二分岐溝の本数よりも少なく、前記第一分岐溝及び前記第二分岐溝の溝幅が閉止された先端部に向かって減少していることを特徴とする空気入りタイヤ。
【請求項２】
前記第一分岐溝の起点が前記第二分岐溝の起点と一致し、前記第一分岐溝と対をなす第二分岐溝と単独の第二分岐溝とがタイヤ周方向に沿って交互に配置されていることを特徴とする請求項１に記載の空気入りタイヤ。
【請求項３】
前記トレッド部における前記周方向主溝のタイヤ幅方向外側に、両端部が閉止された複数本のラグ溝を有することを特徴とする請求項１に記載の空気入りタイヤ。
【請求項４】
前記ラグ溝の溝幅が少なくとも片側の閉止された端部に向かって減少していることを特徴とする請求項３に記載の空気入りタイヤ。
【請求項５】
前記ラグ溝はタイヤ幅方向長さが互いに異なる少なくとも２種類のラグ溝を含むことを特徴とする請求項３又は４に記載の空気入りタイヤ。
【請求項６】
前記ラグ溝が分岐部を有することを特徴とする請求項３〜５のいずれかに記載の空気入りタイヤ。
【請求項７】
前記トレッド部における前記周方向主溝のタイヤ幅方向外側に、両端部が閉止された複数本の閉止サイプを有することを特徴とする請求項３〜６のいずれかに記載の空気入りタイヤ。
【請求項８】
前記トレッド部における前記周方向主溝のタイヤ幅方向外側に、前記ラグ溝と交差しながら延在する複数本の交差サイプを有することを特徴とする請求項３〜７のいずれかに記載の空気入りタイヤ。
【請求項９】
前記周方向主溝が蛇行しながらタイヤ周方向に延在することを特徴とする請求項１〜８のいずれかに記載の空気入りタイヤ。
【請求項１０】
前記トレッド部のセンター領域に配置される前記周方向主溝の本数が２本であることを特徴とする請求項１〜９のいずれかに記載の空気入りタイヤ。
【発明の詳細な説明】
【技術分野】
【０００１】
本発明は、トレッド部のセンター領域にタイヤ周方向に延在する少なくとも１本の周方向主溝を有する空気入りタイヤに関し、更に詳しくは、操縦安定性及び排水性能を良好に維持しながら騒音性能を改善することを可能にした空気入りタイヤに関する。
【背景技術】
【０００２】
空気入りタイヤにおいて、良好な排水性能を確保するために、トレッド部のセンター領域とショルダー領域にそれぞれタイヤ周方向に延在する周方向主溝を配置することが一般的である。しかしながら、このような溝配置を有する空気入りタイヤは排水性能が良好であるものの、周方向主溝が走行時に大きな気柱共鳴音を発生するため騒音性能が悪化すると共に、周方向主溝によりトレッド部の剛性が低下するため操縦安定性が悪化するという問題がある。
【０００３】
このような問題を解決するために、空気入りタイヤにおいて、トレッド部のセンター領域にタイヤ周方向に延在する周方向主溝を配置すると共に、該周方向主溝から回転方向とは反対方向に傾斜しながらタイヤ幅方向外側に向かって延在する複数本の傾斜溝を配置することが提案されている（例えば、特許文献１参照）。このような溝配置を採用することにより、操縦安定性と排水性能と騒音性能とをバランス良く改善することができる。しかしながら、上述の溝配置では、その効果が必ずしも十分ではなく、更なる改善が求められている。
【先行技術文献】
【特許文献】
【０００４】
【特許文献１】日本国特許第４１４５３４６号公報
【発明の概要】
【発明が解決しようとする課題】
【０００５】
本発明の目的は、操縦安定性及び排水性能を良好に維持しながら騒音性能を改善することを可能にした空気入りタイヤを提供することにある。
【課題を解決するための手段】
【０００６】
上記目的を達成するための本発明の空気入りタイヤは、タイヤ周方向に延在して環状をなすトレッド部と、該トレッド部の両側に配置された一対のサイドウォール部と、これらサイドウォール部のタイヤ径方向内側に配置された一対のビード部とを備えた空気入りタイヤにおいて、
前記トレッド部のセンター領域にタイヤ周方向に延在する少なくとも１本の周方向主溝を有し、各周方向主溝はタイヤ幅方向内側に向かって分岐して先端部が閉止された複数本の第一分岐溝とタイヤ幅方向外側に向かって分岐して先端部が閉止された複数本の第二分岐溝とを有し、各周方向主溝における前記第一分岐溝の本数が前記第二分岐溝の本数よりも少なく、前記第一分岐溝及び前記第二分岐溝の溝幅が閉止された先端部に向かって減少していることを特徴とするものである。
【発明の効果】
【０００７】
本発明では、トレッド部のセンター領域にタイヤ周方向に延在する少なくとも１本の周方向主溝が形成されており、各周方向主溝はタイヤ幅方向内側に向かって分岐して先端部が閉止された複数本の第一分岐溝とタイヤ幅方向外側に向かって分岐して先端部が閉止された複数本の第二分岐溝とを有しているので、良好な排水性能を発揮することができる。また、各周方向主溝における第一分岐溝の本数が第二分岐溝の本数よりも少なくなっているため、トレッド部において各周方向主溝よりもタイヤ幅方向内側に位置する陸部の剛性を確保し、良好な操縦安定性を発揮することができる。更に、第一分岐溝及び第二分岐溝の溝幅が閉止された先端部に向かって減少しているので、接地時の打音を低減し、騒音性能を改善することができる。また、第一分岐溝及び第二分岐溝の溝幅が閉止された先端部に向かって減少する構造は、トレッド部の剛性を確保する上でも有効である。これにより、操縦安定性及び排水性能を良好に維持しながら騒音性能を改善することができる。
【０００８】
本発明において、第一分岐溝の起点が第二分岐溝の起点と一致し、前記第一分岐溝と対をなす第二分岐溝と単独の第二分岐溝とがタイヤ周方向に沿って交互に配置されていることが好ましい。このような溝配置を採用した場合、操縦安定性と排水性能とをバランス良く改善することができる。
【０００９】
トレッド部における周方向主溝のタイヤ幅方向外側には、両端部が閉止された複数本のラグ溝を有することが好ましい。両端部が閉止されたラグ溝の付加により、操縦安定性と排水性能とをバランス良く改善することができる。この場合、ラグ溝の溝幅は少なくとも片側の閉止された端部に向かって減少していることが好ましい。これにより、騒音性能を改善することができる。また、ラグ溝はタイヤ幅方向長さが互いに異なる少なくとも２種類のラグ溝を含むことが好ましい。これにより、操縦安定性と排水性能とをバランス良く改善することができる。更に、ラグ溝は分岐部を有することが好ましい。ラグ溝に分岐部を付加することにより、排水性能を改善することができる。
【００１０】
トレッド部における周方向主溝のタイヤ幅方向外側には、両端部が閉止された複数本の閉止サイプを有することが好ましい。両端部が閉止された閉止サイプの付加により、操縦安定性を損なうことなく排水性能を改善することができる。また、トレッド部における周方向主溝のタイヤ幅方向外側には、ラグ溝と交差しながら延在する複数本の交差サイプを有することが好ましい。ラグ溝と交差する交差サイプの付加により、排水性能を効果的に改善することができる。
【００１１】
周方向主溝は蛇行しながらタイヤ周方向に延在することが好ましい。周方向主溝が湾曲又は屈曲するように蛇行することにより、排水性能を改善することができる。また、トレッド部のセンター領域に配置される周方向主溝の本数は２本であることが好ましい。トレッド部のセンター領域に２本の周方向主溝を配置することにより、操縦安定性と排水性能をバランス良く改善することができる。
【００１２】
本発明において、トレッド部のセンター領域は、タイヤ中心線からタイヤ幅方向両側へそれぞれ接地幅の２５％の位置よりもタイヤ幅方向内側の領域である。接地幅は、タイヤを正規リムに装着し、正規内圧を充填し、静止した状態で平面に対して垂直に置き、正規荷重を加えたときの平面に対する接地領域のタイヤ軸方向の幅である。「正規リム」とは、タイヤが基づいている規格を含む規格体系において、当該規格がタイヤ毎に定めるリムであり、例えば、ＪＡＴＭＡであれば標準リム、ＴＲＡであれば“Ｄｅｓｉｇｎ  Ｒｉｍ”、或いはＥＴＲＴＯであれば“Ｍｅａｓｕｒｉｎｇ  Ｒｉｍ”とする。「正規内圧」とは、タイヤが基づいている規格を含む規格体系において、各規格がタイヤ毎に定めている空気圧であり、ＪＡＴＭＡであれば最高空気圧、ＴＲＡであれば表“ＴＩＲＥ  ＲＯＡＤ  ＬＩＭＩＴＳ  ＡＴ  ＶＡＲＩＯＵＳ  ＣＯＬＤ  ＩＮＦＬＡＴＩＯＮ  ＰＲＥＳＳＵＲＥＳ”に記載の最大値、ＥＴＲＴＯであれば“ＩＮＦＬＡＴＩＯＮ  ＰＲＥＳＳＵＲＥ”であるが、タイヤが乗用車である場合には１８０ｋＰａとする。「正規荷重」とは、タイヤが基づいている規格を含む規格体系において、各規格がタイヤ毎に定めている荷重であり、ＪＡＴＭＡであれば最大負荷能力、ＴＲＡであれば表“ＴＩＲＥ  ＲＯＡＤ  ＬＩＭＩＴＳ  ＡＴ  ＶＡＲＩＯＵＳ  ＣＯＬＤ  ＩＮＦＬＡＴＩＯＮ  ＰＲＥＳＳＵＲＥＳ”に記載の最大値、ＥＴＲＴＯであれば“ＬＯＡＤ  ＣＡＰＡＣＩＴＹ”とするが、タイヤが乗用車である場合には前記荷重の８８％に相当する荷重とする。
【図面の簡単な説明】
【００１３】
【図１】本発明の実施形態からなる空気入りタイヤを示す子午線断面図である。
【図２】図１の空気入りタイヤのトレッドパターンを示す展開図である。
【図３】従来の空気入りタイヤのトレッドパターンを示す展開図である。
【発明を実施するための形態】
【００１４】
以下、本発明の構成について添付の図面を参照しながら詳細に説明する。図１及び図２は本発明の実施形態からなる空気入りタイヤを示すものである。なお、本実施形態の空気入りタイヤは、回転方向Ｒが指定されたタイヤである。
【００１５】
図１に示すように、本実施形態の空気入りタイヤは、タイヤ周方向に延在して環状をなすトレッド部１と、該トレッド部１の両側に配置された一対のサイドウォール部２と、これらサイドウォール部２のタイヤ径方向内側に配置された一対のビード部３とを備えている。
【００１６】
一対のビード部３，３間には、タイヤ径方向に延びる複数本の補強コードを含むカーカス層４が装架されている。カーカス層４は各ビード部３に配置されたビードコア５の廻りにタイヤ内側から外側に巻き上げられている。カーカス層４の補強コードとしては、有機繊維コードが好ましく使用される。ビードコア５の外周上には断面三角形状のゴム組成物からなるビードフィラー６が配置されている。
【００１７】
一方、トレッド部１におけるカーカス層４の外周側には複数層のベルト層７が埋設されている。これらベルト層７はタイヤ周方向に対して傾斜する複数本の補強コードを含み、かつ層間で補強コードが互いに交差するように配置されている。ベルト層７において、補強コードのタイヤ周方向に対する傾斜角度は例えば１０°〜４０°の範囲に設定されている。ベルト層７の補強コードとしては、スチールコードが好ましく使用される。ベルト層７の外周側には、高速耐久性の向上を目的として、補強コードをタイヤ周方向に対して５°以下の角度で配列してなる少なくとも１層のベルトカバー層８が配置されている。ベルトカバー層８は少なくとも１本の補強コードを引き揃えてゴム被覆してなるストリップ材をタイヤ周方向に連続的に巻回したジョイントレス構造とすることが望ましい。また、ベルトカバー層８はベルト層７の幅方向の全域を覆うように配置しても良く、或いは、ベルト層７の幅方向外側のエッジ部のみを覆うように配置しても良い。ベルトカバー層８の補強コードとしては、ナイロンやアラミド等の有機繊維コードが好ましく使用される。
【００１８】
なお、上述したタイヤ内部構造は空気入りタイヤにおける代表的な例を示すものであるが、これに限定されるものではない。
【００１９】
図２に示すように、タイヤ中心線ＣＬからタイヤ幅方向両側へそれぞれ接地幅ＴＣＷの２５％の位置よりもタイヤ幅方向内側の領域をトレッド部１のセンター領域Ｃｅとしたとき、該トレッド部１のセンター領域Ｃｅには、タイヤ周方向に延在する少なくとも１本の周方向主溝１１が形成されている。本実施形態では、トレッド部１のセンター領域Ｃｅに配置される周方向主溝１１の本数は２本である。これら周方向主溝１１は湾曲又は屈曲するように蛇行しながらタイヤ周方向に延在している。これにより、２本の周方向主溝１１の相互間にはセンター陸部２１が区画され、各周方向主溝１１のタイヤ幅方向外側にはショルダー陸部２２が区画されている。
【００２０】
各周方向主溝１１は、タイヤ幅方向内側に向かって分岐して先端部が閉止された複数本の第一分岐溝１１Ａと、タイヤ幅方向外側に向かって分岐して先端部が閉止された複数本の第二分岐溝１１Ｂとを有している。これら第一分岐溝１１Ａ及び第二分岐溝１１Ｂは、タイヤ幅方向内側から外側に向かって回転方向Ｒとは反対側へ傾斜している。第一分岐溝１１Ａのタイヤ周方向に対する傾斜角度αは例えば１２°〜２０°の範囲に設定され、第二分岐溝１１Ｂのタイヤ周方向に対する傾斜角度βは例えば２４°〜３８°の範囲に設定されている。傾斜角度α，βは、第一分岐溝１１Ａ及び第二分岐溝１１Ｂの各々において、基端部の溝幅中心位置と先端部の溝幅中心位置とを結ぶ直線がタイヤ周方向に対してなす角度である。
【００２１】
各周方向主溝１１における第一分岐溝１１Ａの本数は第二分岐溝１１Ｂの本数よりも少なくなっている。図２においては、各周方向主溝１１における第一分岐溝１１Ａの本数と第二分岐溝１１Ｂの本数との比が１：２となっている。また、第一分岐溝１１Ａ及び第二分岐溝１１Ｂの溝幅はいずれも閉止された先端部に向かって減少している。より具体的には、第一分岐溝１１Ａ及び第二分岐溝１１Ｂの先端部は一点に向かって収束した先細り形状を有している。
【００２２】
トレッド部１における周方向主溝１１のタイヤ幅方向外側には、両端部が閉止された複数本のラグ溝１２が形成されている。これらラグ溝１２は、タイヤ幅方向内側から外側に向かって回転方向Ｒとは反対側へ傾斜している。ラグ溝１２のタイヤ周方向に対する傾斜角度γは例えば２４°〜４０°の範囲に設定されている。傾斜角度γは、ラグ溝１２の各々において、一方の端部の溝幅中心位置と他方の端部の溝幅中心位置とを結ぶ直線がタイヤ周方向に対してなす角度である。
【００２３】
ラグ溝１２の溝幅は少なくとも片側の閉止された端部に向かって減少している。本実施形態では、ラグ溝１２の溝幅は両側の閉止された端部に向かって減少している。より具体的には、ラグ溝１２の各端部は一点に向かって収束した先細り形状を有している。また、ラグ溝１２はタイヤ幅方向長さＬ１，Ｌ２が互いに異なる少なくとも２種類のラグ溝１２１，１２２を含んでいる。タイヤ幅方向長さＬ１，Ｌ２はラグ溝１２をタイヤ周方向に投影したときの長さ（即ち、ラグ溝１２のタイヤ幅方向の延長成分の長さ）である。更に、各ラグ溝１２は分岐部１２Ａを有している。分岐部１２Ａの溝幅はいずれも閉止された先端部に向かって減少している。より具体的には、分岐部１２Ａの先端部は一点に向かって収束した先細り形状を有している。
【００２４】
トレッド部１における周方向主溝１１のタイヤ幅方向外側には、両端部が閉止された複数本の閉止サイプ１３が形成されている。これら閉止サイプ１３は、タイヤ幅方向内側から外側に向かって回転方向Ｒとは反対側へ傾斜している。また、トレッド部１における周方向主溝１１のタイヤ幅方向外側には、少なくとも１本のラグ溝１２と交差しながら延在する複数本の交差サイプ１４が形成されている。これら交差サイプ１４は、タイヤ幅方向内側から外側に向かって回転方向Ｒとは反対側へ傾斜している。交差サイプ１４においては、少なくともタイヤ幅方向内側の端部が閉止されている。なお、閉止サイプ１３及び交差サイプ１４の溝幅はいずれも２．０ｍｍ以下であることが望ましい。
【００２５】
上述した空気入りタイヤでは、トレッド部１のセンター領域Ｃｅにタイヤ周方向に延在する少なくとも１本の周方向主溝１１が形成されており、各周方向主溝１１はタイヤ幅方向内側に向かって分岐して先端部が閉止された複数本の第一分岐溝１１Ａとタイヤ幅方向外側に向かって分岐して先端部が閉止された複数本の第二分岐溝１１Ｂとを有しているので、良好な排水性能を発揮することができる。即ち、第一分岐溝１１Ａ及び第二分岐溝１１Ｂを介して路面上の水を周方向主溝１１内に効果的に取り込むことができる。また、各周方向主溝１１における第一分岐溝１１Ａの本数が第二分岐溝１１Ｂの本数よりも少なくなっているため、トレッド部１において各周方向主溝１１よりもタイヤ幅方向内側に位置するセンター陸部２１の細分化を回避してその剛性を確保し、良好な操縦安定性を発揮することができる。
【００２６】
更に、第一分岐溝１１Ａ及び第二分岐溝１１Ｂの溝幅が閉止された先端部に向かって減少しているので、接地時の打音を低減し、騒音性能を改善することができる。また、第一分岐溝１１Ａ及び第二分岐溝１１Ｂの溝幅が閉止された先端部に向かって減少する構造は、トレッド部１の剛性を確保する上でも有効である。これにより、操縦安定性及び排水性能を良好に維持しながら騒音性能を改善することができる。
【００２７】
上記空気入りタイヤにおいて、周方向主溝１１はストレート状であっても良いが、湾曲又は屈曲するように蛇行しながらタイヤ周方向に延在していると良い。周方向主溝１１が蛇行した構造を有することにより、排水性能を改善することができる。また、トレッド部１のセンター領域Ｃｅに配置される周方向主溝１１の本数は２本であると良い。トレッド部１のセンター領域Ｃｅに２本の周方向主溝１１を配置し、その相互間に１列のセンター陸部２１を区画することにより、操縦安定性と排水性能をバランス良く改善することができる。
【００２８】
上記空気入りタイヤにおいて、第一分岐溝１１Ａの起点は第二分岐溝１１Ｂの起点と一致し、第一分岐溝１１Ａと対をなす第二分岐溝１１Ｂと単独の第二分岐溝１１Ｂとはタイヤ周方向に沿って交互に配置されていると良い。このような溝配置を採用した場合、操縦安定性と排水性能とをバランス良く改善することができる。なお、第一分岐溝１１Ａの起点が第二分岐溝１１Ｂの起点と一致するとは、第一分岐溝１１Ａとが第二分岐溝１１Ｂとが一連の溝を形成するように配置された状態を意味する。
【００２９】
上記空気入りタイヤにおいて、トレッド部１における周方向主溝１１のタイヤ幅方向外側には、両端部が閉止された複数本のラグ溝１２が形成されていると良い。両端部が閉止されたラグ溝１２の付加により、操縦安定性と排水性能とをバランス良く改善することができる。この場合、ラグ溝１２の溝幅は少なくとも片側の閉止された端部に向かって減少していると良い。これにより、騒音性能を改善することができる。また、ラグ溝１２はタイヤ幅方向長さＬ１，Ｌ２が互いに異なる少なくとも２種類のラグ溝１２１，１２２を含んでいると良い。これにより、操縦安定性と排水性能とをバランス良く改善することができる。更に、ラグ溝１２は分岐部１２Ａを有していると良い。ラグ溝１２に分岐部１２Ａを付加することにより、排水性能を改善することができる。
【００３０】
上記空気入りタイヤにおいて、トレッド部１における周方向主溝１１のタイヤ幅方向外側には、両端部が閉止された複数本の閉止サイプ１３が形成されていると良い。両端部が閉止された閉止サイプ１３の付加により、操縦安定性を損なうことなく排水性能を改善することができる。また、トレッド部１における周方向主溝１１のタイヤ幅方向外側には、ラグ溝１２と交差しながら延在する複数本の交差サイプ１４が形成されていると良い。ラグ溝１２と交差する交差サイプ１４の付加により、排水性能を効果的に改善することができる。
【実施例】
【００３１】
タイヤサイズ２４５／３５Ｒ２０で、トレッド部と一対のサイドウォール部と一対のビード部とを備えた空気入りタイヤにおいて、トレッド部の溝パターンを種々異ならせた従来例、比較例１及び実施例１〜７のタイヤを製作した。
【００３２】
従来例のタイヤは、図３に示すように、トレッド部のセンター領域に蛇行しながらタイヤ周方向に延在する２本の周方向主溝（３１）が形成され、各周方向主溝はタイヤ幅方向外側に向かって分岐して先端部が閉止された複数本の分岐溝（３１Ｂ）を有し、トレッド部における周方向主溝のタイヤ幅方向外側に、タイヤ幅方向内側の端部が閉止された複数本のラグ溝（３２）と、これらラグ溝を連結する複数本のサイプ（３３）とが形成されたものである。
【００３３】
比較例１及び実施例１〜７のタイヤは、トレッド部のセンター領域にタイヤ周方向に延在する２本の周方向主溝が形成され、各周方向主溝はタイヤ幅方向内側に向かって分岐して先端部が閉止された複数本の第一分岐溝とタイヤ幅方向外側に向かって分岐して先端部が閉止された複数本の第二分岐溝とを有し、トレッド部における周方向主溝のタイヤ幅方向外側に複数本のラグ溝が形成され、更に必要に応じて、閉止サイプ及び交差サイプが付加されたものである。なお、実施例７のタイヤは図２に示すトレッドパターンを有している。
【００３４】
周方向主溝の本数、周方向主溝の蛇行の有無、第一分岐溝の有無、第二分岐溝の有無、第一分岐溝と第二分岐溝の本数比、第一分岐溝及び第二分岐溝の先細り形状の有無、ラグ溝の有無、ラグ溝の閉止された端部、ラグ溝の先細り形状の有無、ラグ溝のタイヤ幅方向長さの種類、ラグ溝の分岐部の有無、閉止サイプの有無、交差サイプの有無は表１の通りである。
【００３５】
これら従来例、比較例１及び実施例１〜７に係る試験タイヤについて、下記の評価方法により、操縦安定性、排水性能及び騒音性能を評価し、その結果を表１に併せて示した。
【００３６】
操縦安定性：
各試験タイヤをリムサイズ２０×８．５ＪＪのホイールに組み付けて排気量２５００ｃｃの車両に装着し、ウォームアップ後の空気圧を１８０ｋＰａとし、乾燥路面からなるテストコースにおいて、操縦安定性についてテストドライバーによる官能評価を行った。評価結果は従来例を１００とする指数にて示した。この指数値が大きいほど操縦安定性が優れていることを意味する。
【００３７】
排水性能：
各試験タイヤをリムサイズ２０×８．５ＪＪのホイールに組み付けて排気量２５００ｃｃの車両に装着し、ウォームアップ後の空気圧を１８０ｋＰａとし、散水により水深２ｍｍとしたウエット路面からなるテストコースにおいて、排水性能についてテストドライバーによる官能評価を行った。評価結果は従来例を１００とする指数にて示した。この指数値が大きいほど排水性能が優れていることを意味する。
【００３８】
騒音性能：
各試験タイヤをリムサイズ２０×８．５ＪＪのホイールに組み付けて排気量２５００ｃｃの車両に装着し、ウォームアップ後の空気圧を１８０ｋＰａとし、ＥＣＥ  Ｒ１１７に準拠した試験を実施し、その車外騒音を測定した。評価結果は、測定値の逆数を用い、従来例を１００とする指数にて示した。この指数値が大きいほど車外騒音が少ないことを意味する。
【００３９】
【表１】
2020196347.tif 000003
【００４０】
表１から判るように、実施例１〜７のタイヤは、従来例との対比において、操縦安定性及び排水性能を良好に維持しながら、騒音性能が大幅に改善されていた。一方、比較例１のタイヤは、各周方向主溝における第一分岐溝の本数と第二分岐溝の本数が同数であるため操縦安定性の悪化が顕著であった。
【符号の説明】
【００４１】
１  トレッド部
２  サイドウォール部
３  ビード部
４  カーカス層
５  ビードコア
６  ビードフィラー
７  ベルト層
８  ベルトカバー層
１１  周方向主溝
１１Ａ  第一分岐溝
１１Ｂ  第二分岐溝
１２  ラグ溝
１３  閉止サイプ
１４  交差サイプ
２１  センター陸部
２２  ショルダー陸部
【図１】
2020196347.tif 000004
【図２】
2020196347.tif 000005
【図３】
2020196347.tif 000006